(57)【要約】【課題】二次電池の寿命を長くすることができる携帯電話やモバイルプリンタ等の携帯端末装置を提供する。【解決手段】内部電源９に電力を供給する二次電池７と、設定された充電開始時刻と現在の時刻が一致することを検出する時計部３と、前記充電開始時刻と現在の時刻が一致したとき非供給モードから供給モードに切り替わり入力された電源を該二次電池に供給する充電部６とを備えた携帯端末装置１において、二次電池７の残容量を検出する残容量検出部１０と、該残容量検出部１０で検出した二次電池７の残容量と予め記憶部２に記憶した二次電池残容量判定値を比較してその大小を判定する判定手段とを備え、該判定手段で該二次電池７の残容量が該二次電池残容量判定値以下であると判定されたとき、充電部６が非供給モードから供給モードに切り替わり入力された電源を該二次電池７に供給して充電するようにした。【選択図】        図１
2007006640.tif 000002
【特許請求の範囲】
【請求項１】
内部電源に電力を供給する二次電池と、設定された充電開始時刻と現在の時刻が一致することを検出する時計部と、前記充電開始時刻と現在の時刻が一致したとき非供給モードから供給モードに切り替わり入力された電源を該二次電池に供給する充電部とを備えた携帯端末装置において、
二次電池の残容量を検出する残容量検出部と、該残容量検出部で検出した二次電池の残容量と予め記憶部に記憶した二次電池残容量判定値を比較してその大小を判定する判定手段とを備え、
該判定手段で該二次電池の残容量が該二次電池残容量判定値以下であると判定されたとき、充電部が非供給モードから供給モードに切り替わり入力された電源を該二次電池に供給して充電するようにしたことを特徴とする携帯端末装置。
【請求項２】
請求項１の携帯端末装置において、
前記残容量検出部は、二次電池から電源が出力されている時間を計測し、その計測された時間に基づいて残容量を算出するようにしたことを特徴とする携帯端末装置。
【請求項３】
請求項１の携帯端末装置において、
前記残容量検出部は、二次電池から出力された電源の電圧値を計測し、その計測された電圧値に基づいて残容量を算出するようにしたことを特徴とする携帯端末装置。
【請求項４】
請求項１、請求項２または請求項３の携帯端末装置において、
オンまたはオフの信号を出力する強制充電スイッチを備え、
該強制充電スイッチがオンの信号を出力しているとき、該二次電池の残容量にかかわらず充電部が非供給モードから供給モードに切り替わり入力された電源を該二次電池に供給するようにしたことを特徴とする携帯端末装置。
【発明の詳細な説明】
【技術分野】
【０００１】
本発明は、二次電池を有する携帯電話やモバイルプリンタ等の携帯端末装置に関する。
【背景技術】
【０００２】
近年、携帯電話等に加え二次電池を搭載した携帯可能なパーソナルコンピュータ、モバイルプリンタ等の携帯端末装置が広く普及している。この二次電池には小型軽量で充電容量が大きく、何度でも充電可能なニッケルカドミウム電池やニッケル水素電池などが使用されている。しかし、ニッケルカドミウム電池やニッケル水素電池などの二次電池は残容量が充分にある比較的高い電圧の領域で充放電を繰り返すと見かけ上の電池容量が減少するメモリ効果が発生することが一般に知られている。
【０００３】
従来の携帯端末装置は、このメモリ効果を防止するため、適切な日時に自動的に深い放電を行うことで電池性能の回復を促すリフレッシュ放電を行った後に充電を行うものがある（例えば、特許文献１参照）。
【特許文献１】特開平７−１０５９８２号公報（段落「００１８」〜段落「００２５」、図４）
【発明の開示】
【発明が解決しようとする課題】
【０００４】
しかしながら、上述した従来の技術においては、所定の日時になると二次電池の残容量が充分にあるときであってもリフレッシュ放電を行った後に充電を行うため、二次電池の寿命が短くなってしまうという問題がある。
したがって、特に、企業等において社員が使用した携帯端末装置を毎日所定の時刻に充電するような使用方法である場合、二次電池の寿命が短くなってしまうという問題がある。
【０００５】
本発明は、このような問題を解決することを課題とする。
【課題を解決するための手段】
【０００６】
そのため、本発明は、内部電源に電力を供給する二次電池と、設定された充電開始時刻と現在の時刻が一致することを検出する時計部と、前記充電開始時刻と現在の時刻が一致したとき非供給モードから供給モードに切り替わり入力された電源を該二次電池に供給する充電部とを備えた携帯端末装置において、二次電池の残容量を検出する残容量検出部と、該残容量検出部で検出した二次電池の残容量と予め記憶部に記憶した二次電池残容量判定値を比較してその大小を判定する判定手段とを備え、該判定手段で該二次電池の残容量が該二次電池残容量判定値以下であると判定されたとき、充電部が非供給モードから供給モードに切り替わり入力された電源を該二次電池に供給して充電するようにしたことを特徴とする。
【発明の効果】
【０００７】
このようにした本発明は、企業等において社員が使用した携帯端末装置を毎日所定の時刻に充電するような使用方法である場合であっても二次電池の残容量が充分にあるときは充電を行わないため、二次電池の寿命を延命することができるという効果が得られる。
【発明を実施するための最良の形態】
【０００８】
以下、図面を参照して本発明による携帯端末装置の実施例を説明する。
【実施例】
【０００９】
まず、第１の実施例を説明する。
図１は第１の実施例における携帯端末装置の構成を示すブロック図である。
図１において、１は携帯端末装置であり、携帯電話、携帯可能なパーソナルコンピュータまたはモバイルプリンタ等である。
２は記憶部であり、磁気ディスク、半導体メモリ等である。この記憶部２は情報を記憶することができ、また、記憶した情報を読み出すことができるものである。
【００１０】
３は時計部であり、予め設定された日付、時刻、曜日等と現在の日付、時刻、曜日等が一致したことを検出して所定の信号を出力するものである。また、その現在の日付、時刻、曜日等を出力することもできる。
なお、この時計部３は日付、曜日等を設定せず時刻だけを設定することも可能であり、時刻だけを設定した場合は毎日、設定された時刻に一致することを検出することができる。
【００１１】
４はＡＣ（Ａｌｔｅｒｎａｔｉｎｇ  Ｃｕｒｒｅｎｔ）アダプタであり、入力された交流電源を直流電源に変換して出力するものである。
５はＡＣアダプタ接続検出部であり、ＡＣアダプタ４から供給される直流電源を検出し、ＡＣアダプタ４が交流電源に接続されているか否かを検出してその信号を出力するものである。
【００１２】
６は充電部であり、ＡＣアダプタ４から出力された電源を入力し、その入力された電源を二次電池へ供給または非供給することを制御するものである。なお、この充電部６が入力された電源を二次電池へ供給するモードを供給モード、入力された電源を二次電池へ供給しないモードを非供給モードという。
７は二次電池であり、ニッケルカドミウム電池やニッケル水素電池等である。この二次電池７は充電部６の制御による電源の供給により充電が可能なものであり、また、充電された電源を出力することができるものである。
【００１３】
８は切替部であり、ＡＣアダプタ４および二次電池７から供給されたふたつの電源のうちひとつを選択し、その選択された電源を出力するものである。この切替部８はＡＣアダプタ接続検出部５でＡＣアダプタ４が交流電源に接続されている信号を検知するとＡＣアダプタ４から供給された電源を選択し、また、ＡＣアダプタ接続検出部５でＡＣアダプタ４が交流電源に接続されていない信号を検知すると二次電池７から供給された電源を選択してその電源を出力する。
【００１４】
９は内部電源であり、携帯端末装置１の電源である。この内部電源９には切替部８でＡＣアダプタ４および二次電池７から供給された電源のうち選択されたひとつの電源が供給される。
１０は残容量検出部であり、二次電池７の残容量を検出するものである。この残容量検出部１０は携帯端末装置１が二次電池７の電源供給により動作している時間を積算し残容量を計算するものである。
【００１５】
１１は制御部であり、記憶部２、時計部３、ＡＣアダプタ接続検出部５、充電部６、切替部８および残容量検出部１０を含む携帯端末装置１全体を記憶部２に格納されたプログラム（ソフトウェア）により制御するＣＰＵ（Ｃｅｎｔｒａｌ  Ｐｒｏｃｅｓｓｉｎｇ  Ｕｎｉｔ）等である。
この制御部１１には、図示しない通信制御部を備え、ＵＳＢ（Ｕｎｉｖｅｒｓａｌ  Ｓｅｒｉａｌ  Ｂｕｓ）等の通信回線１２により上位装置等の他の機器と通信可能に接続されている。
【００１６】
なお、制御部１１は記憶部２に情報を記憶させることができ、また、記憶させた情報を読み出すことができる。また、制御部１１は時計部３に予め設定された日付、時刻、曜日等と現在の日付、時刻、曜日等が一致したことを示す信号を検出することができ、現在の日付、時刻、曜日等を読み出すこともできる。さらに、制御部１１はＡＣアダプタ接続検出部５から出力された信号を検出することができる。
【００１７】
上述した構成の作用について説明する。
図２は第１の実施例における携帯端末装置の動作を示すフローチャートである。携帯端末装置の動作を図２のＳで示すステップにしたがって説明する。
Ｓ１ａ：携帯端末装置１の制御部１１は通信回線１２を介して上位装置から充電を開始する時刻である充電開始時刻の入力を受け付ける。制御部１１は上位装置より入力されたその時刻を時計部３に設定する。ここで、充電部６は非供給モードになっているものとする。
【００１８】
Ｓ２ａ：時計部３に時刻を設定すると制御部１１は通信回線１２を介して上位装置から二次電池の充電を開始する二次電池の残容量の判定値である二次電池残容量判定値の入力を受け付ける。制御部１１は入力された二次電池残容量判定値を記憶部２に記憶させる。
なお、この充電開始時刻および二次電池残容量判定値は通信回線１２を介して上位装置からの入力に限らず、携帯端末装置１の図示しない操作部により入力するようにしてもよい。
【００１９】
Ｓ３ａ：記憶部２に二次電池残容量判定値を記憶させると制御部１１はＡＣアダプタ接続検出部５によりＡＣアダプタ４から電源が供給されているか否かを検出する。
Ｓ４ａ：ＡＣアダプタ４から電源が供給されていない場合、制御部１１は二次電池７から電源を供給していると判断し、時計部３から時刻等を読み出し、その二次電池７により電源を供給している時間を算出する。さらに、残容量検出部１０は制御部１１が算出した時間等から二次電池の残容量を算出してその結果を記憶部２に記憶しておく。
【００２０】
Ｓ５ａ：制御部１１は時計部３から出力される時計部３に設定された充電開始時刻と現在の時刻が一致したことを示す信号の有無を監視する。その設定された充電開始時刻に現在の時刻が一致するまで制御部１１はＳ４ａの二次電池７により電源を供給している時間の算出を行い、さらに、残容量検出部１０は制御部１１が算出した時間から二次電池の残容量を算出し、その結果を記憶部２に記憶する。
【００２１】
Ｓ６ａ：制御部１１が時計部３から出力された充電開始時刻に一致したことを示す信号を検出すると記憶部２に記憶した二次電池残容量および二次電池残容量判定値を読み出す。制御部１１の判定手段は読み出した二次電池残容量と二次電池残容量判定値を比較し、その二次電池残容量が二次電池残容量判定値以下であるか否かを判定する。
Ｓ７ａ：その判定の結果、二次電池残容量が二次電池残容量判定値以下であると判定された場合、充電部６は供給モードに移行し、ＡＣアダプタ４から入力された電源を二次電池７へ供給し、充電を開始する。なお、このときＡＣアダプタ接続検知部５がＡＣアダプタ４からの電源供給を検出していないときは充電部６から二次電池７へ電源の供給は行わない。
【００２２】
Ｓ８ａ：充電部６が充電を開始すると、その充電部６は二次電池７が所定の電圧等に到達したかを監視し、充電が終了したことを監視する。充電が終了したことを確認すると充電部６は非供給モードに移行し、携帯端末装置１は一連の二次電池７への充電動作を終了する。
充電動作を終了すると二次電池残容量を初期化しＳ３ａの処理ステップに戻り二次電池の残容量の計算を新たに開始する。
【００２３】
また、Ｓ６ａで二次電池残容量が二次電池残容量判定値より大きいと判定された場合は現在の二次電池残容量の値を維持してＳ３ａの処理ステップに戻り二次電池の残容量の計算を継続する。したがって、二次電池残容量が二次電池残容量判定値より大きいと判定された場合、二次電池への充電は行なわない。
なお、充電開始時刻および二次電池残容量判定値の設定（Ｓ１ａおよびＳ２ａ）は本動作の最初で行うようにしたが随時受け付けるようにしてもよい。
【００２４】
以上説明したように、第１の実施例では、所定の日時になっても二次電池の残容量が充分にあるときは充電を行わないため、二次電池の寿命を延命することができるという効果が得られる。
次に、第２の実施例について説明する。
図３は第２の実施例における携帯端末装置の構成を示すブロック図である。第２の実施例における携帯端末装置の構成は第１の実施例の構成に操作部を追加した構成である。なお、上述した第１の実施例と同様の部分は、同一の符号を付してその説明を省略する。
【００２５】
図３において、２１は操作部であり、オンまたはオフを示す強制充電スイッチを設けたものである。この操作部２１は強制充電スイッチのオンまたはオフの信号を出力する。
上述した構成の作用について説明する。
図４は第２の実施例における携帯端末装置の動作を示すフローチャートである。携帯端末装置の動作を図４のＳで示すステップにしたがって説明する。
【００２６】
Ｓ１ｂ：携帯端末装置１の制御部１１は通信回線１２を介して上位装置から充電を開始する時刻である充電開始時刻の入力を受け付ける。制御部１１は上位装置より入力されたその時刻を時計部３に設定する。ここで、充電部６は非供給モードになっているものとする。
Ｓ２ｂ：時計部３に時刻を設定すると制御部１１は通信回線１２を介して上位装置から二次電池の充電を開始する二次電池の残容量の判定値である二次電池残容量判定値の入力を受け付ける。制御部１１は入力された二次電池残容量判定値を記憶部２に記憶させる。
【００２７】
なお、この充電開始時刻および二次電池残容量判定値は通信回線１２を介して上位装置からの入力に限らず、携帯端末装置１の操作部２１に設けた操作キー等により入力するようにしてもよい。
Ｓ３ｂ：記憶部２に二次電池残容量判定値を記憶させると制御部１１はＡＣアダプタ接続検出部５によりＡＣアダプタ４から電源が供給されているか否かを検出する。
【００２８】
Ｓ４ｂ：ＡＣアダプタ４から電源が供給されていない場合、制御部１１は二次電池７から電源を供給していると判断し、時計部３から時刻等を読み出し、その二次電池７により電源を供給している時間を算出する。さらに、残容量検出部１０は制御部１１が算出した時間から二次電池の残容量を算出し、その結果を記憶部２に記憶しておく。
Ｓ５ｂ：制御部１１は時計部３から出力される時計部３に設定された充電開始時刻と現在の時刻が一致したことを示す信号の有無を監視する。その設定された充電開始時刻に現在の時刻が一致するまで制御部１１はＳ４ｂの二次電池７により電源を供給している時間の算出を行い、さらに、残容量検出部１０は制御部１１が算出した時間等から二次電池の残容量を算出し、その結果を記憶部２に記憶する。
【００２９】
Ｓ６ｂ：時計部３から出力された充電開始時刻に一致したことを示す信号を検出すると制御部１１は操作部２１から強制充電スイッチがオンであるかオフであるかの信号を読み出し、オンであることを検出すると充電部６は供給モードに移行し、ＡＣアダプタ４から出力される電源を二次電池７へ供給し、充電を開始する（Ｓ８ｂ）。その後、Ｓ９ｂへ処理を移行する。
【００３０】
Ｓ７ｂ：一方、制御部１１は強制充電スイッチがオフであることを検出すると記憶部２に記憶した二次電池残容量および二次電池残容量判定値を読み出す。制御部１１の判定手段は読み出した二次電池残容量と二次電池残容量判定値を比較し、その二次電池残容量が二次電池残容量判定値以下であるか否かを判定する。
Ｓ８ｂ：その判定の結果、二次電池残容量が二次電池残容量判定値以下であると判定された場合、充電部６は供給モードに移行し、ＡＣアダプタ４から入力された電源を二次電池７へ供給し、充電を開始する。なお、このときＡＣアダプタ接続検知部５がＡＣアダプタ４からの電源供給を検出していないときは充電部６から二次電池７へ電源の供給は行わない。
【００３１】
Ｓ９ｂ：充電部６が充電を開始すると、その充電部６は二次電池７が所定の電圧等に到達したかを監視し、充電が終了したことを監視する。充電が終了したことを確認すると充電部６は非供給モードに移行し、携帯端末装置１は一連の二次電池７への充電動作を終了する。
充電動作を終了すると二次電池残容量を初期化しＳ３ｂの処理ステップに戻り二次電池の残容量の計算を開始する。
【００３２】
また、Ｓ７ｂで二次電池残容量が二次電池残容量判定値より大きいと判定された場合は現在の二次電池残容量の値を維持してＳ３ｂの処理ステップに移行し二次電池の残容量の計算を継続する。したがって、強制充電スイッチがオフであり、二次電池残容量が二次電池残容量判定値より大きいと判定された場合、二次電池への充電は行なわない。
なお、充電開始時刻および二次電池残容量判定値の設定（Ｓ１ｂおよびＳ２ｂ）は本動作の最初で行うようにしたが随時受け付けるようにしてもよい。
【００３３】
以上説明したように、第２の実施例では、強制充電スイッチの操作により二次電池の残容量に関わらず強制的に二次電池を充電することもできるという効果が得られる。
次に、第３の実施例について説明する。
図５は第３の実施例における携帯端末装置の構成を示すブロック図である。第３の実施例における携帯端末装置の構成は第１の実施例の構成に対し残容量検出部１０を電圧監視部に変更した構成である。なお、上述した第１の実施例と同様の部分は、同一の符号を付してその説明を省略する。
【００３４】
図５において、３１は電圧監視部であり、二次電池７の電圧値を検出するものである。制御部１１はこの電圧監視部３１で検出した二次電池７の電圧値を読み出すことができる。
上述した構成の作用について説明する。
図６は第３の実施例における携帯端末装置の動作を示すフローチャートである。携帯端末装置の動作を図６のＳで示すステップにしたがって説明する。
【００３５】
Ｓ１ｃ：携帯端末装置１の制御部１１は通信回線１２を介して上位装置から充電を開始する時刻である充電開始時刻の入力を受け付ける。制御部１１は上位装置より入力されたその時刻を時計部３に設定する。ここで、充電部６は非供給モードになっているものとする。
Ｓ２ｃ：時計部３に時刻を設定すると制御部１１は通信回線１２を介して上位装置から二次電池の充電を開始する二次電池の電圧の判定値である二次電池電圧判定値の入力を受け付ける。制御部１１は入力された二次電池電圧判定値を記憶部２に記憶させる。
【００３６】
なお、この充電開始時刻および二次電池電圧判定値は通信回線１２を介して上位装置からの入力に限らず、携帯端末装置１の図示しない操作部により入力するようにしてもよい。
Ｓ３ｃ：制御部１１は時計部３から出力される時計部３に設定された充電開始時刻と現在の時刻が一致したことを示す信号の有無を監視する。
【００３７】
Ｓ４ｃ：制御部１１が時計部３から出力された充電開始時刻に一致したことを示す信号を検出すると制御部１１は電圧監視部３１から二次電池７の電圧値を読み出し、また、記憶部２に記憶した二次電池電圧判定値を読み出す。制御部１１の判定手段は読み出した電圧値と二次電池電圧判定値を比較し、その電圧値が二次電池電圧判定値以下であるか否かを判定する。
【００３８】
Ｓ５ｃ：その判定の結果、電圧値が二次電池電圧判定値以下であると判定された場合、充電部６は供給モードに移行し、ＡＣアダプタ４から入力された電源を二次電池７へ供給し、充電を開始する。なお、このときＡＣアダプタ接続検知部５がＡＣアダプタ４からの電源供給を検出していないときは充電部６から二次電池７へ電源の供給は行わない。
Ｓ６ｃ：充電部６が充電を開始すると、その充電部６は二次電池７が所定の電圧等に到達したかを監視し、充電が終了したことを監視する。充電が終了したことを確認すると充電部６は非供給モードに移行し、携帯端末装置１は一連の二次電池７への充電動作を終了する。
【００３９】
充電動作を終了するとＳ３ｃの処理ステップに処理を移行する。
また、Ｓ４ｃで電圧値が二次電池電圧判定値より大きいと判定された場合もＳ３ｃの処理ステップに処理を移行する。したがって、電圧値が二次電池電圧判定値より大きいと判定された場合、二次電池への充電は行なわない。
なお、充電開始時刻および二次電池電圧判定値の設定（Ｓ１ｃおよびＳ２ｃ）は本動作の最初で行うようにしたが随時受け付けるようにしてもよい。
【００４０】
以上説明したように、第３の実施例では、所定の日時になっても二次電池の電圧が充分にあるときは充電を行わないため、二次電池の寿命を延命することができるという効果が得られる。
【図面の簡単な説明】
【００４１】
【図１】第１の実施例における携帯端末装置の構成を示すブロック図
【図２】第１の実施例における携帯端末装置の動作を示すフローチャート
【図３】第２の実施例における携帯端末装置の構成を示すブロック図
【図４】第２の実施例における携帯端末装置の動作を示すフローチャート
【図５】第３の実施例における携帯端末装置の構成を示すブロック図
【図６】第３の実施例における携帯端末装置の動作を示すフローチャート
【符号の説明】
【００４２】
１    携帯端末装置
２    記憶部
３    時計部
４    ＡＣアダプタ
５    ＡＣアダプタ接続検出部
６    充電部
７    二次電池
８    切替部
９    内部電源
１０  残容量検出部
１１  制御部
１２  通信回線
【図１】
2007006640.tif 000003
【図２】
2007006640.tif 000004
【図３】
2007006640.tif 000005
【図４】
2007006640.tif 000006
【図５】
2007006640.tif 000007
【図６】
2007006640.tif 000008